(57)【要約】【課題】  本発明は、ケースに収納されている替刃を結合する際のホルダーの方向が不適切であるときに、ホルダーの替刃への接近を遮断し、不適切な方向であることを使用者に即座に認識させることを課題とする。【解決手段】  ケースに収納された替刃を結合する際のホルダーの方向が不適切である場合に、その結合部と結合構造との結合を遮断するための突部がホルダー又はケースの一方に設けられると共に、他方にはその突部が当たる遮断部が設けられ、突部がホルダーにあるときは替刃を装着するときの装着方向に向けて突出しており、突部がケースにあるときはその逆方向に向けて突出しており、突部と遮断部が協働してそれらの結合が遮断される。【選択図】  図１
2006232325.tif 000002
【特許請求の範囲】
【請求項１】
所定の構造を有するホルダーに交換可能に取り付けることのできるカートリッジ式替刃を収納するためのケースであって、
前記ホルダーは、その上部に替刃を結合するための結合部を有し、
前記替刃は、前記ホルダーの結合部と結合する結合構造を有し、
前記ケースは少なくとも１つの収納室が設けられ、該収納室は上方に開放口を有し長手方向に延びる一対の側壁とその両端の一対の端壁に囲まれ且つ底部を有しており、替刃の結合構造が開放口側を向く状態で替刃を収納室に固定するための係止手段が収納室に設けられており、収納室の替刃をホルダーに結合して引き出すときは、ホルダーの結合部を替刃の結合構造に結合して替刃を引き抜く構成であり、
替刃を結合する際のホルダーの方向が不適切である場合においてホルダーの結合部を替刃の結合構造に近づけようとするときに、その結合部と結合構造との結合を遮断するための突部がホルダー又はケースの一方に設けられると共に、他方にはその突部が当たる遮断部が設けられ、突部がホルダーにあるときは替刃を装着するときの装着方向に向けて突出しており、突部がケースにあるときはその逆方向に向けて突出しており、突部と遮断部が協働して前記結合部と結合構造が一定以上近づかず、それらの結合が遮断されることを特徴とする替刃のケース。
【請求項２】
替刃を結合する際のホルダーの方向が適切である場合においてホルダーの結合部を替刃の結合構造に近づけようとするときに、ホルダーと替刃の結合中心を通り替刃の長手方向に延びる結合線を中心として、前記突部と遮断部は異なる側に偏倚していて互いに当たらず、替刃を結合する際のホルダーの方向が不適切である場合においてホルダーの結合部を替刃の結合構造に近づけようとするときに、遮断部と突部は前記結合線の同じ側に偏倚して両者が当たる請求項１記載の替刃のケース。
【請求項３】
ホルダーの上部に一対のアームが設けられ且つ一対の結合部がこれらのアームの先端にそれぞれ設けられており、前記突部はホルダーに設けられ、ホルダーの上部から両アームの間に突出し替刃を下から押すプッシャーがその突部であり、刃を結合する際のホルダーの方向が適切であるときに、このプッシャーと係合する係合部が替刃に形成されている請求項１又は請求項２記載のケース
【請求項４】
収納室の一方の側壁の上端に沿ってフランジが延在し、該フランジの両端は端壁に接続しておらず、遮断部はフランジの構成部分としてフランジの中央部に存在している請求項２又は請求項３記載のケース。
【請求項５】
替刃を収納室に収納したときに、替刃の結合構造の全部又は一部を露出させるための凹部がフランジに形成され、凹部を構成するフランジの外周線が、収納された替刃の結合構造の外周線と整合している請求項４記載のケース。
【請求項６】
所定の構造を有するホルダーに交換可能に取り付けることのできるカートリッジ式替刃を収納するためのケースであって、
前記ホルダーは、その上部に替刃を結合するための結合部を有し、
前記替刃は、前記ホルダーの結合部と結合する結合構造を有し、
前記ケースは少なくとも１つの収納室が設けられ、該収納室は上方に開放口を有し長手方向に延びる一対の側壁とその両端の一対の端壁に囲まれ且つ底部を有しており、替刃の結合構造が開放口側を向く状態で替刃を収納室に固定するための係止手段が収納室に設けられており、収納室の替刃をホルダーに結合して引き出すときは、ホルダーの結合部を替刃の結合構造に結合して替刃を引き抜く構成であり、
替刃を結合する際のホルダーの方向が不適切である場合においてホルダーの結合部を替刃の結合構造に近づけようとするときに、その結合部と結合構造との結合を遮断する遮断部が収納室の一方の側壁上端から、対向する他方の側壁に向かって収納室の底部と平行に張り出していることを特徴とする替刃のケース。
【発明の詳細な説明】
【技術分野】
【０００１】
本発明は、主に一般大衆が使用する安全カミソリのカートリッジ式替刃を収納するためのケースに関する。
【背景技術】
【０００２】
ケースに収納されているカートリッジ式の替刃にホルダーを結合して引き出す構成は公知である。また、ケースに収納されている替刃を結合しようとするホルダーの方向が不適切であるとき、例えばホルダーの前後を逆にして替刃に結合しようとしたときに、ホルダーの替刃への接近を遮断する構成も公知である（例えば、特許文献１参照。）。
【特許文献１】特表２００１−５１２３５１号公報
【発明の開示】
【発明が解決しようとする課題】
【０００３】
本発明は、ケースに収納されている替刃を結合しようとするホルダーの方向が不適切であるときに、ホルダーの替刃への接近を遮断し、不適切な方向であることを使用者に即座に認識させることを課題とする。
【０００４】
前記特許文献１は、ケース内の前方傾斜ディバイダーと後方傾斜ディバイダーの間に替刃が収納される構成であり、ハンドルのハンドル接続構造体を、替刃の替刃接続構造体に向かって接続軸に沿って動かすことによって替刃をハンドルに接続させるものである。さらに、ハンドルに前記接続軸に対して非対称形である遮断構造体を設け、ハンドルが不適切な方向にあるとき、その遮断構造体が後方傾斜ディバイダーに近接した側にきてこの後方傾斜ディバイダーによって遮断される。ハンドルが適切な方向にあるとき、ハンドル上の遮断構造体が後方傾斜ディバイダーから離れた側にきてこの後方傾斜ディバイダーを越えられるようになっている。
【０００５】
前記特許文献１は、ハンドルに設けた遮断構造体はハンドルのボタンである。ハンドルが不適切な方向にあるときにボタンが後方傾斜ディバイダーに当たって、ハンドルのハンドル接続構造体と替刃の替刃接続構造体が整合しない構成である。したがってハンドル接続構造体が替刃接続構造体に挿入することができず、両者が接続されない構成である。すなわち、ハンドル接続構造体が、替刃接続構造体に対して接続軸に沿って正しく移動しないのでハンドル接続構造体が替刃接続構造体に挿入されず両者が接続されないのである。
【０００６】
特許文献１は、ハンドル接続構造体が替刃接続構造体に挿入されずに接続できないが、ハンドルの後端を接続軸からやや浮き上がらせると、ハンドル接続構造体は替刃接続構造体に接触するまでは移動できる構成である。ただ、ハンドル接続構造体が接続軸に対して斜めになるので替刃接続構造体に挿入しないのであるが、ハンドルの後端を不自然なほど浮き上がらせなくてもハンドル接続構造体は替刃接続構造体に接触するのである。このように特許文献１はハンドルが不適切な方向であってもハンドル接続構造体が容易に替刃接続構造体に届くので、使用者が即座に不適切であると認識せずに、何度も挿入を試みることが考えられる。そこで、本発明は、ケースに収納されている替刃を結合しようとするホルダーの方向が不適切であるときに、ホルダーの替刃への接近を遮断し、さらに不適切な方向であることを使用者に即座に認識させることを目的とする。
【課題を解決するための手段】
【０００７】
本発明の請求項１は、所定の構造を有するホルダーに交換可能に取り付けることのできるカートリッジ式替刃を収納するためのケースであって、前記ホルダーは、その上部に替刃を結合するための結合部を有し、前記替刃は、前記ホルダーの結合部と結合する結合構造を有し、前記ケースは少なくとも１つの収納室が設けられ、該収納室は上方に開放口を有し長手方向に延びる一対の側壁とその両端の一対の端壁に囲まれ且つ底部を有しており、替刃の結合構造が開放口側を向く状態で替刃を収納室に固定するための係止手段が収納室に設けられており、収納室の替刃をホルダーに結合して引き出すときは、ホルダーの結合部を替刃の結合構造に結合して替刃を引き抜く構成であり、替刃を結合する際のホルダーの方向が不適切である場合においてホルダーの結合部を替刃の結合構造に近づけようとするときに、その結合部と結合構造との結合を遮断するための突部がホルダー又はケースの一方に設けられると共に、他方にはその突部が当たる遮断部が設けられ、突部がホルダーにあるときは替刃を装着するときの装着方向に向けて突出しており、突部がケースにあるときはその逆方向に向けて突出しており、突部と遮断部が協働して前記結合部と結合構造が一定以上近づかず、それらの結合が遮断される構成である。
【０００８】
請求項２は、替刃を結合する際のホルダーの方向が適切である場合においてホルダーの結合部を替刃の結合構造に近づけようとするときに、ホルダーと替刃の結合中心を通り替刃の長手方向に延びる結合線を中心として、前記突部と遮断部は異なる側に偏倚していて互いに当たらず、替刃を結合する際のホルダーの方向が不適切である場合においてホルダーの結合部を替刃の結合構造に近づけようとするときに、遮断部と突部は前記結合線の同じ側に偏倚して両者が当たる要素が請求項１に付加された構成である。
【０００９】
請求項３は、ホルダーの上部に一対のアームが設けられ且つ一対の結合部がこれらのアームの先端にそれぞれ設けられており、前記突部はホルダーに設けられ、ホルダーの上部から両アームの間に突出し替刃を下から押すプッシャーがその突部であり、刃を結合する際のホルダーの方向が適切であるときに、このプッシャーと係合する係合部が替刃に形成されている要素が請求項１又は請求項２に付加された構成である。
【００１０】
請求項４は、収納室の一方の側壁の上端に沿ってフランジが延在し、該フランジの両端は端壁に接続しておらず、遮断部はフランジの構成部分としてフランジの中央部に存在している要素が請求項２又は請求項３に付加された構成である。
【００１１】
請求項５は、替刃を収納室に収納したときに、替刃の結合構造の全部又は一部を露出させるための凹部がフランジに形成され、凹部を構成するフランジの外周線が、収納された替刃の結合構造の外周線と整合している要素が請求項４に付加された構成である。
【００１２】
請求項６は、所定の構造を有するホルダーに交換可能に取り付けることのできるカートリッジ式替刃を収納するためのケースであって、前記ホルダーは、その上部に替刃を結合するための結合部を有し、前記替刃は、前記ホルダーの結合部と結合する結合構造を有し、前記ケースは少なくとも１つの収納室が設けられ、該収納室は上方に開放口を有し長手方向に延びる一対の側壁とその両端の一対の端壁に囲まれ且つ底部を有しており、替刃の結合構造が開放口側を向く状態で替刃を収納室に固定するための係止手段が収納室に設けられており、収納室の替刃をホルダーに結合して引き出すときは、ホルダーの結合部を替刃の結合構造に結合して替刃を引き抜く構成であり、替刃を結合する際のホルダーの方向が不適切である場合においてホルダーの結合部を替刃の結合構造に近づけようとするときに、その結合部と結合構造との結合を遮断する遮断部が収納室の一方の側壁上端から、対向する他方の側壁に向かって収納室の底部と平行に張り出している構成である。
【発明の効果】
【００１３】
請求項１は、結合部と結合構造との結合を遮断するための突部がホルダー又はケースの一方に設けられると共に、他方にはその突部が当たる遮断部が設けられ、突部がホルダーにあるときは替刃を装着するときの装着方向に向けて突出しており、突部がケースにあるときはその逆方向に向けて突出しており、突部と遮断部が協働して前記結合部と結合構造が一定以上近づかず、それらの結合が遮断される構成である。遮断するための突部がホルダーにあるときは替刃を装着するときの装着方向に向けて突出し、突部がケースにあるときはその逆方向に向けて突出している。特許文献１と異なり、請求項１は、ホルダーの方向が不適切であるときもホルダーは装着方向に沿って移動させて行く構成であり、装着方向又はその逆方向を向く突部が遮断部に当たってそれ以上移動することができず遮断される。このために、結合部と結合構造の間に突部の高さだけの間隔があいてそれらが接触することがない。使用者は、それを見て結合部と結合構造の接触が不可能であることをすぐに認識できるので、ホルダーの方向が不適切であることを即座に認識できるという効果を奏する。
【００１４】
請求項２は、替刃を結合する際のホルダーの方向が適切である場合においてホルダーの結合部を替刃の結合構造に近づけようとするときに、ホルダーと替刃の結合中心を通り替刃の長手方向に延びる結合線を中心として、突部と遮断部は異なる側に偏倚していて互いに当たらず、替刃を結合する際のホルダーの方向が不適切である場合においてホルダーの結合部を替刃の結合構造に近づけようとするときに、遮断部と突部は結合線の同じ側に偏倚して両者が当たる構成である。替刃を結合する際のホルダーの方向が不適切である場合には遮断部と突部が結合線の同じ側にあるから、突部が遮断部に当たるよりも前に両者が当たることは一目瞭然である。したがって、使用者を悩ませることなくホルダーの方向を適切にすることができる。
【００１５】
請求項３は、ホルダーの上部に一対のアームが設けられ且つ一対の結合部がこれらのアームの先端にそれぞれ設けられており、突部はホルダーに設けられ、ホルダーの上部から両アームの間に突出し替刃を下から押すプッシャーがその突部であり、刃を結合する際のホルダーの方向が適切であるときに、このプッシャーと係合する係合部が替刃に形成されている。プッシャーは主に替刃を下から弾性的に支持するためにホルダーに取り付けられる部品である。例えば、首振り式安全カミソリに取り付けられている。首振り式安全カミソリは、替刃がその長手方向に延びる揺動軸線を中心に揺動可能にホルダーに取り付けられたものである。そして、プッシャーが替刃の係合部を弾性的に押圧することにより、揺動した替刃を元の位置に自然に復帰させる。このように通常は替刃を下から押して支持するプッシャーを遮断するための突部として使用するので、１つの部品を有効利用することにより構造を簡単としてコストを抑えることができる。
【００１６】
請求項４は、収納室の一方の側壁の上端に沿ってフランジが延在し、フランジの両端は端壁に接続しておらず、遮断部はフランジの構成部分としてフランジの中央部に存在している構成である。遮断部がフランジの構成部分であるから、遮断部の強度はフランジと同等であって大きくなる。したがって、遮断するための突部が遮断部に当たっても遮断部が変形したり破損したりすることがない。また、フランジが側壁の上端に沿って延在しているので、このフランジ自身又はフランジの底面に設けたリブなどによって収納されている替刃を押さえることができる。これにより、フランジは遮断作用と替刃の押さえ作用の２つの作用を果たすので、その分だけ構成を簡単にしてコストを抑えることができる。
【００１７】
請求項５は、替刃を収納室に収納したときに、替刃の結合構造の全部又は一部を露出させるための凹部がフランジに形成され、凹部を構成するフランジの外周線が、収納された替刃の結合構造の外周線と整合している。アーム先端に結合部が設けられているから、アームの先端をフランジの凹部に宛がうことによって結合部を自動的に替刃の結合構造に合致させて結合することができる。これにより、替刃をホルダーに結合させる作業が円滑になる。
【００１８】
請求項６は、替刃を結合する際のホルダーの方向が不適切である場合においてホルダーの結合部を替刃の結合構造に近づけようとするときに、その結合部と結合構造との結合を遮断する遮断部が収納室の一方の側壁上端から、対向する他方の側壁に向かって底部と平行に張り出している構成である。これにより使用者は、替刃を結合する際のホルダーの方向が不適切であるときに、結合部と結合構造との結合を遮断している要素が側壁上端から他方の側壁に向かって延びている遮断部であることが一目瞭然に理解できる。したがって、何度も試行錯誤を繰り返すことなく即座にホルダーを適切な方向に変更することができる。また、収納されている替刃を遮断部を利用して上から押さえて固定できるので、遮断部は２つの作用をなす。これにより、構造を簡単にしてコストを抑えることができる。
【発明を実施するための最良の形態】
【００１９】
次に本発明を実施するための最良の形態について説明する。本形態における安全カミソリはいわゆる首振り式のものであって、替刃１がその長手方向に延びる揺動軸線を中心に揺動可能にホルダー２に取り付けられている。なお、本発明に使用される安全カミソリは首振り式のものに限定されるものでなく、替刃を着脱自在に装着できるものであればよく、替刃がホルダーに対して固定され揺動などしないものでもよい。
【００２０】
まず、替刃１がホルダー２に揺動可能に取り付けられる構成について説明する。図６はホルダー２の上部の替刃結合機構を示している。図６はアーム３，３が閉じた状態であって替刃１を取り付ける前の状態である。アーム３，３に替刃１が取り付けられるときは、図７に示すようにアーム３，３は両側に開いて替刃１と結合する。図６に示すように、アーム３，３はそれらの基部４，４が軸５に回動可能に結合されている。替刃結合機構は摺動部材７を有する。図６はこの摺動部材がその摺動範囲の最も前方に位置している状態である。摺動部材７は、図８に記載されている押しボタン６と一体に形成されている。また、摺動部材７の前方にはプッシャー押圧部８が一体に形成されている。したがって、当然であるが図７に示すように摺動部材７が一杯に後退しているときに、押しボタン６を押すと摺動部材７が前方へ摺動し、同時にプッシャー押圧部８も一体に移動し、両者は一体に前進する。
【００２１】
前述したように、図６はアーム３，３が閉じた状態であって替刃１を取り付ける前の状態である。この状態で、プッシャー９はプッシャー押圧部８に押圧されて固定されている。プッシャー９の先端をある程度の力で押さなければプッシャー９はホルダー２の中に後退しない。プッシャー９が固定され押されなければ後退しない理由は、プッシャー押圧部８の両弾性部１６，１６に設けられた突部１０，１０がホルダーの係止凹部１１，１１に係止しているからである。このことは、同時に摺動部材７も固定されていることを意味する。そして、摺動部材７に設けられた側圧部１２，１２が、アーム基部４，４に設けられた切欠き凹部１３，１３を外側から内側に押圧するので、両アーム３，３は閉じられた状態で固定されている。
【００２２】
図７は、替刃１をホルダー２に取り付けた状態を示している。図６の、アーム３，３が閉じた状態から、図７のようにアーム３，３が開いて替刃１を結合する作用について説明する。まず、プッシャー９の先端を替刃１の係合部１４に宛がってホルダー２を強く押し付ける。すると、プッシャー９の後端傾斜面１５，１５がプッシャー押圧部８の両弾性部１６，１６を内方に押圧し、突部１０，１０と係止凹部１１，１１との係止状態が解除されて、プッシャー９は、プッシャー押圧部８及びそれと一体の摺動部材７と共に後退する。また、摺動部材７の両側圧部１２，１２も後退して切欠き凹部１３，１３から外れる。そして、プッシャー押圧部８の後端部１７がアーム３，３のあご部１８，１８に当たってアーム３，３を押し開く。アーム３，３が開くことによって、アーム３，３の先端に設けられたジャーナル軸１９，１９が替刃１のジャーナル軸受２０，２０に結合して替刃１は揺動可能に取り付けられる。この際、アーム３，３を押し開いたプッシャー押圧部８は、コイルスプリング２１で弾性的に押圧されているから、アーム３，３は開いたままの状態に支持される。また、プッシャー９は係合部１４を弾性的に押圧する。
【００２３】
替刃１をホルダー２から取り外すときは、替刃１がホルダー２に結合している図７の状態から、押しボタン６を前方に押すことによって摺動部材７が前進し、これと一体のプッシャー押圧部８がプッシャー９を押す。同時に摺動部材７の側圧部１２，１２が切欠き凹部１３，１３に当たってこれらの切欠き部１３，１３を外側から内側に押圧して両アーム３，３が閉じる。両アーム３，３が閉じると、ジャーナル軸１９，１９はジャーナル軸受２０，２０から抜けて替刃１は外れる。以上が、替刃１がホルダー２に揺動可能に取り付けられる構成及び操作である。
【００２４】
図６及び図７に示すホルダー２の替刃結合機構は前述したとおりの構成である。図８に示すようにホルダー２は、細長い柄２２の上端に替刃結合機構を有する頭部２３が設けられている。そして、前述したようにこの頭部２３に両アーム３，３が取り付けられている。アーム３，３の先端に設けられたジャーナル軸１９，１９が替刃１のジャーナル軸受２０，２０にジャーナル結合して替刃１はホルダー２に取り付けられる。また、図５において収納されている各替刃１の刃先５８が向く方向をケース２７の前方とし反対方向を後方としたときに、両ジャーナル軸１９，１９を結ぶ直線に対して、プッシャー９は後方（図５では右側）にずれている。
【００２５】
図７に示すように、替刃１はその底部に一対の結合構造２４，２４が設けられている。この結合構造２４，２４は替刃１の底部に設けられた凹部２５，２５と、その凹部２５，２５に連通するジャーナル軸受２０，２０とから成る。閉じられた両アーム３，３の先端部は、まず凹部２５，２５に入り、次いで図７に示すように両アーム３，３が開いたときに、ジャーナル軸１９，１９がジャーナル軸受２０，２０に入る。このジャーナル結合によって、替刃１はジャーナル軸線を中心に揺動可能となる。替刃１の底部に設けられた係合部１４の表面はカム面２６に形成されている。図１に示すようにカム面２６は、替刃1の両結合構造２４，２４を結ぶ直線に対して後ろ側にずれている。弾性的に押圧するプッシャー９とカム面２６が協働して揺動した替刃１を元の位置に復帰させる。
【００２６】
図１乃至図５に示すようにケース２７は４つの収納室を有している。ケース２７は透明のプラスチックで一体に形成されている。収納室２８の前側には、収納された替刃１の刃先側である前側部に隣接する前方側壁２９が底部３１から垂直に立ち上がっている。この前方側壁２９に対向する後方側壁３０が底部３１から垂直に立ち上がっている。前方側壁２９と後方側壁３０で収納室２８の前後を囲っている。また、各収納室２８の両端部は底部３１から端壁３２，３２が垂直に立ち上がって収納室２８を囲っている。収納室２８を含む全収納室の同じ側の端壁３２は一体に連なってそれぞれケース２７の長い外周壁３３，３３を構成している。なお、符号５５は各収納室の底部に設けられた長孔で、底部を向いている替刃１の上面を乾燥させるためのものである。符号５７は各収納室の底部に設けられた小孔で、底部を向いている替刃１の上面を乾燥させるためのものである。符号５６は補強リブで各側壁の下部を補強している。
【００２７】
後方側壁３０の両端は端壁３２，３２に接続していない。後方側壁３０の両端と端壁３２，３２との間に係止片３４，３４が底部３１から立ち上がっている。後方側壁３０の両端と係止片３４，３４の間には溝３５，３５が設けられている。なお、図に符号は付していないが、係止片３４，３４と端壁３２，３２の間にも溝が設けられている。係止片３４，３４はその両側の溝によって弾性的に撓む。係止片３４，３４の上部に前方側壁２９側に向く係止突部３６，３６が一体に設けられている。この係止突起３６，３６は、図５に示すように収納された替刃１の後部に係止して替刃１が抜け出すことを防止する。替刃１の出し入れの際には、係止片３４，３４が撓んで出し入れを可能にする。
【００２８】
前方側壁２９の両端も後方側壁３０と同様に端壁３２，３２に接続していない。前方側壁２９の両端と端壁３２，３２との間に係止片３８，３８が底部３１から立ち上がっている。前方側壁２９の両端と係止片３８，３８の間には溝４６，４６が設けられている。係止片３８，３８の上部に前記係止突部３６，３６と同じ方向を向く係止突部３９，３９が一体に設けられている。前方側壁２９の上端から後方側壁３０に向かってフランジ３７が一体に張り出している。フランジ３７は前方側壁２９の全長に亘って延びている。フランジ３７は底部３１と平行に張り出している。フランジ３７の縁は、その中央付近で凹の弧状をなしている。その中央付近が後述する遮断部４０として機能する。各側壁中、一番外側の側壁の２つと、その間の仕切り側壁の３つとで合計５つ存在するが、一番外側の２つの側壁の間の３つの仕切り側壁はすべて同じ構成である。一番前側の側壁４４には、係止片３４と同等のものは存在しない。それよりも前に収納室が存在せず不要だからである。一番後ろ側の側壁４５にはフランジ３７と同等のものは存在しない。それよりも後ろに収納室が存在せず不要だからである。
【００２９】
図３に示すように前方側壁２９の内面からフランジ３７の下面にかけてリブ４１が一体に設けられている。単一の前方側壁２９に一対のリブ４１，４１が設けられている。また、両端壁３２，３２の内面にそれぞれ底部３１と接続する替刃支持部４２が一体に設けられている。替刃１は替刃支持部４２によって底部３１から浮いた状態で支持される。したがって、刃体の刃先５８が底部３１などに接触しないという効果を奏する。図５の最も左側の替刃を除き他の３つの替刃１は替刃支持部４２の上に裏返しでやや斜めに支持され、係止突部３６とリブ４１によって係止されて収納室２８に収納される。前方側壁２９と後方側壁３０は底部３１から垂直に立ち上がっているのに替刃がやや斜めであるのは、図５で明らかなように替刃１は前後側壁２９，３０に接しているのではなく、係止片３４に設けられた係止突部３６と前方側壁２９に設けられたリブ４１に接しているからである。なお、図５の最も左側の替刃１はホルダー２に結合して引き出すときに、係止突部３６の係止が解除された直後の状態を示している。このように、替刃１は図５で反時計回りに旋廻しながら引き出される。
【００３０】
前述したように、また図４に示すようにフランジ３７の縁は、その中央付近で凹の弧状をなしている。その中央付近が遮断部４０である。遮断部４０の縁は、収納された替刃１の一対の結合構造２４，２４を結ぶ直線を越えて張り出していない。カム面２６は、替刃1の両結合構造２４，２４を結ぶ直線に対して後ろ側にずれている。したがって、収納された替刃１のカム面２６は遮断部４０に覆われずに露出する。また前述したように、また図５に示すように両ジャーナル軸１９，１９を結ぶ直線に対して、プッシャー９は後方（図５では右側）にずれている。このことは、ホルダー２の方向が適切であるときに、ジャーナル軸線すなわち替刃１とホルダー２との結合軸線に対してカム面２６とプッシャー９は同じ側、すなわちケースの後ろ側にずれる。そして、カム面２６は遮断部４０に覆われていないので、プッシャー９は遮断部４０に遮断されることなくカム面２６に係合可能である。
【００３１】
図４に示すようにフランジ３７の両端の角部に凹部４３，４３が形成されている。替刃１が結合構造２４，２４を上にして収納されたときに、替刃１の結合構造２４，２４の凹部２５，２５が前記凹部４３，４３に整合して露出する。したがって、ホルダー２の方向が適正であるときは、アーム３，３の先端を凹部４３，４３に合わせれば自然に凹部２５，２５に入り、替刃１を簡単に結合することができる。図５は、ホルダー２の方向が適切である場合を示している。この状態からさらにホルダー２を進めると、アーム３，３が凹部４３，４３を通って替刃１の結合構造２４，２４の凹部２５，２５に入る。そして、プッシャー９の先端がカム面２６に当たる。ホルダー２をさらに押すと、前述したようにプッシャー９が後退してアーム３，３が開き替刃１はホルダー２に結合される。そこで、ホルダー２を図５で反時計回りに旋廻すると、それと一緒に替刃１も旋廻する。旋廻によって一番左側の替刃１のように係止突部３６を乗り越え、さらに替刃１はフランジ３７をくぐり抜けて引き出すことができる。
【００３２】
ホルダー２に替刃１を結合する場合において、ホルダー２の方向が不適切であるというのは、ホルダー２の前後を逆にして替刃１に結合しようとしたときである。アーム３，３の先端を替刃１の結合構造２４，２４に近づけようとするときは、ホルダー２が前後逆であるから、プッシャー９は替刃１とホルダー２との結合軸線よりも前側にずれる。これにより、アーム３，３の先端が結合構造２４，２４の凹部２５，２５に入る前にプッシャー９が遮断部４０に当たるので、結合することができない。また、前述したように、プッシャー９はその先端をある程度の力で押さなければホルダー２の中に後退しない構成となっている。したがって、プッシャー９が遮断部４０に当たっても容易に後退することはなく、アーム３，３の先端が結合構造２４，２４の凹部２５，２５に入ることを確実に遮断する。仮に、プッシャー９を強い力で押してホルダー２の中に後退させたときは、前述したようにアーム３，３が開いてしまうので、全く結合が不可能になる。
【００３３】
図９は、替刃１を結合したホルダー２をトレー４７に装着した状態を示す図である。ホルダー２の首部４８はトレー４７の挟持部４９に挟持される。ホルダー２の後端部５０はトレー４７の支持台部５１に下から支持される。図１０は図９を底部から見た図である。トレー４７の底面にはケース２７を保持するための４つの爪部５２が設けられている。この４つの爪部５２がケース２７の短い外周壁５３，５３の縁に係止してケース２７をトレー４７の底部に保持する。ケース２７はトレー４７に着脱自在である。符号５４は水抜き孔であってこの部分は低くなっており、ホルダー２に取り付けられている替刃１などから落下した水がここに集まって排出される。なお、ケース２７の短い外周壁５３の長さは約４３ｍｍであり、長い外周壁３３の長さは約７３ｍｍであり、ケース２７の高さは約１１ｍｍである。図２に示すようにケース２７には矢印５９の記号が設けてある。これは、ホルダー２に替刃１を結合するときにホルダー２の上端を矢印方向に向ければ、ホルダー２の方向が適切であることを示している。また、ケース２７をトレー４７にセットするときに、そのトレー２７にセットされているホルダー２の上端方向に矢印５９が向くようにセットすれば適切であることを示している。
【図面の簡単な説明】
【００３４】
【図１】替刃を収納した本発明の斜視図
【図２】本発明の上面図
【図３】本発明の断面図
【図４】替刃を収納した本発明の上面図
【図５】本発明のケースにホルダーを近づける状態の正面図
【図６】ホルダーの上部の替刃結合機構の断面図
【図７】替刃を結合したホルダーの上部の替刃結合機構の断面図
【図８】ホルダーの斜視図
【図９】本発明とホルダーをトレーに取り付けた状態の斜視図
【図１０】図８を底部から見た斜視図
【符号の説明】
【００３５】
１  替刃
２  ホルダー
３  アーム
４  アームの基部
５  軸
６  押しボタン
７  摺動部材
８  プッシャー押圧部
９  プッシャー
１０  突部
１１  係止凹部
１２  側圧部
１３  切欠き凹部
１４  係合部
１５  後端傾斜面
１６  弾性部
１７  後端部
１８  あご部
１９  ジャーナル軸
２０  ジャーナル軸受
２１  コイルスプリング
２２  柄
２３  頭部
２４  結合構造
２５  凹部
２６  カム面
２７  ケース
２８  収納室
２９  前方側壁
３０  後方側壁
３１  底部
３２  端壁
３３  長い外周壁
３４  係止片
３５  溝
３６  係止突部
３７  フランジ
３８  係止片
３９  係止突部
４０  遮断部
４１  リブ
４２  替刃支持部
４３  凹部
４４  一番前の側壁
４５  一番後ろの側壁
４６  溝
４７  トレー
４８  首部
４９  挟持部
５０  後端部
５１  支持台部
５２  爪部
５３  短い外周壁
５４  水抜き孔
５５  長孔
５６  補強リブ
５７  小孔
５８  刃先
５９  矢印
【図１】
2006232325.tif 000003
【図２】
2006232325.tif 000004
【図３】
2006232325.tif 000005
【図４】
2006232325.tif 000006
【図５】
2006232325.tif 000007
【図６】
2006232325.tif 000008
【図７】
2006232325.tif 000009
【図８】
2006232325.tif 000010
【図９】
2006232325.tif 000011
【図１０】
2006232325.tif 000012